(57)【要約】      （修正有）【課題】容易に壁の機能を含めて壁を形成することができる壁構造および壁構造の形成方法を提供する。【解決手段】壁構造１００は、壁嵌合部および凸部、部分が設けられたフレーム３００に脱着可能に積層される表面パネル５００と、を含み、表面パネル５００は、厚みの異なる表面パネル、手摺り、表面パネルのホワイトボード、黒板等の機能、表面パネルの突出板、表面パネルの照明機能、表面パネルのスピーカ、音響機能、表面パネルの液晶テレビ、映像表示機能、および表面パネルの穴のいずれかを含む。【選択図】図１
2015175106.tif 000002
【特許請求の範囲】
【請求項１】
壁固定部およびパネル保持部が設けられたパネル取付部と、
前記パネル取付部に脱着可能に積層される１または複数の表面パネルと、を含み、
前記１または複数の表面パネルは、機能部材および機能部材取付け部のいずれかを含む、壁構造。
【請求項２】
前記パネル取付部は、壁に喰い込む壁固定部および壁の鉛直方向に延在した壁固定部の少なくともいずれかを含む、請求項１記載の壁構造。
【請求項３】
前記パネル取付部は、前記壁と前記表面パネルとの距離を調整する調整機構を含む、請求項１または２記載の壁構造。
【請求項４】
前記機能部材は、手摺り、カーテンレール、および板部材の少なくともいずれかを含む、請求項１から３のいずれか１項に記載の壁構造。
【請求項５】
前記機能部材は、液晶テレビ、スピーカ、プロジェクター、エアコンダクト、コンセント、スイッチおよび照明の少なくともいずれかを含む、請求項１から４のいずれか１項に記載の壁構造。
【請求項６】
前記機能部材は、鏡、ホワイトボード、黒板および筆記可能な板部材の少なくともいずれかを含む、請求項１から５のいずれか１項に記載の壁構造。
【請求項７】
前記表面パネルは、配線アダプタまたは配線収納用の空間部を含む、請求項１から６のいずれか１項に記載の壁構造。
【請求項８】
前記機能部材取付け部は、前記表面パネルの上下左右のいずれか一対を変更した場合でも、前記機能部材が、相対的に同じ位置に配設される、請求項１から７のいずれか１項に記載の壁構造。
【請求項９】
前記機能部材取付け部は、前記表面パネルの上下左右のいずれか一対を変更した場合でも、前記機能部材が、相対的に異なる位置に配設される、請求項１から７のいずれか１項に記載の壁構造。
【請求項１０】
壁に対して壁固定部を用いて、パネル保持部が設けられたパネル保持部を取り付ける第１工程と、
前記第１工程により取付けられたパネル保持部に対して１または複数の表面パネルを脱着可能に取り付ける第２工程と、
前記１または複数の表面パネルの機能部取付け部に、機能部材を取り付ける第３工程と、を含む、壁構造の形成方法。
【発明の詳細な説明】
【技術分野】
【０００１】
本発明は、壁構造および壁構造の形成方法に関する。
【背景技術】
【０００２】
建物の壁内側に、内装用壁パネルを着脱自在に取り付ける技術として、たとえば、特開２００７−２４７３８２号公報（特許文献１）に開示されたパネル取付構造が挙げられる。
当該パネル取付構造は、壁面に第一の係合片がとりつけられており、パネルの背面には壁面に取り付けられた状態で第一の係合片と対応する位置に、第一の係合片と係合して、パネルを壁面に対して着脱可能に係止する第二の係合片が取り付けられているものである。
【先行技術文献】
【特許文献】
【０００３】
【特許文献１】特開２００７−２４７３８２号公報
【発明の概要】
【発明が解決しようとする課題】
【０００４】
以上のように、上記の特許文献１に記載のパネル取付構造では、壁の表面パネルを着脱可能にしてリフォームすることができると記載されている。具体的に、特許文献１記載の壁は、壁表面の壁紙を取り替えるものである。
【０００５】
しかしながら、単に壁紙を換えるだけでは、不満が残ることが多い。部屋の模様替え等において、壁紙を変更させるためには、作業工数に対して満足度が低いという問題がある。
【０００６】
そこで、本発明の目的は、容易に機能を含めた壁を形成することができる壁構造および壁構造の形成方法を提供することである。
【課題を解決するための手段】
【０００７】
（１）
一局面に従う壁構造は、壁固定部およびパネル保持部が設けられたパネル取付部と、パネル取付部に脱着可能に積層される１または複数の表面パネルと、を含み、１または複数の表面パネルは、機能部材および機能部材取付け部のいずれかを含むものである。
【０００８】
この場合、壁にパネル取付部が取付けられ、パネル取付部に１または複数の表面パネルを取り付けることができる。また、表面パネルは、機能部材および機能部材取付け部のいずれかを含むため、機能部材を備えた壁を容易に形成することができる。その結果、容易に機能を含めた壁を形成することができる
【０００９】
（２）
第２の発明にかかる壁構造は、一局面に従う壁構造において、パネル取付部は、壁に喰い込む壁固定部および壁の鉛直方向に延在した壁固定部の少なくともいずれかを含んでもよい。
【００１０】
この場合、パネル取付部が、壁に喰い込む構造、および、鉛直方向に延在している構造の少なくともいずれかであるため、脆弱な壁であっても、確実に固定することができる。
【００１１】
（３）
第３の発明にかかる壁構造は、一局面または第２の発明に従う壁構造において、パネル取付部は、壁と表面パネルとの距離を調整する調整機構を含んでもよい。
【００１２】
この場合、パネル取付部は、壁と表面パネルとの距離を調整する調整機構を含むため、表面パネルを凹凸状に配設することができる。
【００１３】
（４）
第４の発明にかかる壁構造は、一局面または第２、第３の発明に従う壁構造において、機能部材は、手摺り、カーテンレール、および板部材の少なくともいずれかを含んでもよい。
【００１４】
この場合、機能部材は、手摺り、カーテンレール、および板部材の少なくともいずれかを含むため、壁に自由に手摺りを配設することができ、また、取り外すことができる。さらに、壁に自由にカーテンレールを配設することができ、また、取り外すことができる。また、壁に自由に板部材を配設し、収納または台を設けることができ、また、取り外すことができる。
【００１５】
（５）
第５の発明にかかる壁構造は、一局面または第２から第４の発明に従う壁構造において、機能部材は、液晶テレビ、スピーカ、プロジェクター、エアコンダクト、コンセント、スイッチおよび照明の少なくともいずれかを含んでもよい。
【００１６】
この場合、壁の表面パネルに液晶テレビを設けることができ、テレビの凸部をなくすことができ、さらに、取り外すこともできる。また、壁の表面パネルにスピーカを設けることができ、スピーカの凸部をなくすことができ、さらに、取り外すこともできる。
また、壁の表面パネルにプロジェクターを設けることができ、プロジェクターの凸部をなくすことができ、さらに、取り外すこともできる。また、壁の表面パネルにエアコンダクトを設けることができ、エアコンダクトの凸部をなくすことができ、さらに、取り外すこともできる。また、壁の表面パネルに照明を設けることができ、照明の凸部をなくすことができ、さらに、取り外すこともできる。また、壁の表面パネルにコンセントを設けることができ、コンセントの位置を自由に移動させることができる。また、壁の表面パネルにスイッチを設けることができ、スイッチの位置を自由に移動させることができる。
【００１７】
（６）
第６の発明にかかる壁構造は、一局面または第２から第５の発明に従う壁構造において、機能部材はホワイトボード、鏡、黒板および筆記可能な板部材の少なくともいずれかを含んでもよい。
【００１８】
この場合、壁の表面パネルに鏡を設けることができ、自由に鏡の位置を変えることができる。また、壁の表面パネルにホワイトボード、黒板および筆記可能な板部材を設けることができるので、幼児が自由に落書きしても消すことができ、大人の趣味のために自由に絵画を描くことができる。
【００１９】
（７）
第７の発明にかかる壁構造は、一局面または第２から第６の発明に従う壁構造において、機能部材は、配線アダプタまたは配線収納用の空間部を含んでもよい。
【００２０】
この場合、壁の表面パネルに配線アダプタが設けられているので、配線を別途設けることなく、表面パネル内に配線を引き回すことができる。また、壁の表面パネルに配線収容用の空間部が設けられているので、配線を綺麗に整理することができる。
【００２１】
（８）
第８の発明にかかる壁構造は、一局面または第２から第７の発明に従う壁構造において、機能部材取付け部は、表面パネルの上下左右のいずれか一対を変更した場合でも、機能部材が、相対的に同じ位置に配設されてもよい。
【００２２】
この場合、壁の表面パネルの上下左右の方向性がないため、施工時に配置位置を誤ることがない。
【００２３】
（９）
第９の発明にかかる壁構造は、一局面または第２から第７の発明に従う壁構造において、機能部材取付け部は、表面パネルの上下左右のいずれか一対を変更した場合でも、機能部材が、相対的に異なる位置に配設されてもよい。
【００２４】
この場合、壁の表面パネルの上下左右の方向性があるため、表面パネルの上下を入れ換えることにより、壁の機能部材の位置を変えることができる。例えば、手摺りの位置を上下させたい場合には、表面パネルの上下を入れ換えることで実現することができる。
【００２５】
（１０）
他の局面にかかる壁構造の形成方法は、壁に対して壁固定部を用いて、パネル保持部が設けられたパネル保持部を取り付ける第１工程と、第１工程により取付けられたパネル保持部に対して１または複数の表面パネルを脱着可能に取り付ける第２工程と、１または複数の表面パネルの機能部取付け部に、機能部材を取り付ける第３工程と、を含むものである。
【００２６】
この場合、第１工程により壁にパネル取付部が取付けられ、第２工程によりパネル取付部に１または複数の表面パネルを取り付けることができる。また、表面パネルは、機能部材および機能部材取付け部のいずれかを含むため、第３工程により機能部材を備えた壁を容易に形成することができる。
【図面の簡単な説明】
【００２７】
【図１】本実施の形態にかかる壁構造を説明するために一部を切り欠いた模式的斜視図である。
【図２】図１の壁構造の形成工法を説明するための模式的斜視図である。
【図３】図１の壁構造の形成工法を説明するための模式的斜視図である。
【図４】図１の壁構造の形成工法を説明するための模式的斜視図である。
【図５】壁構造のフレームの一例を示す模式図である。
【図６】壁にフレームが取り付けられた際の一例を示す模式的断面図である。
【図７】表面パネルの一例を示す模式的断面図である。
【図８】壁構造の他の例を示す模式図である。
【図９】壁構造の他の例を示す模式図である。
【図１０】壁構造のさらに他の例を示す模式図である。
【図１１】壁構造のさらに他の例を示す模式図である。
【図１２】壁構造のさらに他の例を示す模式図である。
【図１３】壁構造のさらに他の例を示す模式図である。
【図１４】壁構造のさらに他の例を示す模式図である。
【図１５】壁構造のさらに他の例を示す模式図である。
【図１６】壁構造のさらに他の例を示す模式図である。
【図１７】壁構造のさらに他の例を示す模式図である。
【図１８】フレームの他の例を示す模式的斜視図である。
【図１９】フレームを用いた壁構造の一例を示す模式的断面図である。
【図２０】壁構造の一例を示す模式的断面図である。
【図２１】壁構造の一例を示す模式的断面図である。
【図２２】壁構造の一例を示す模式的断面図である。
【図２３】壁構造の一例を示す模式的断面図である。
【図２４】壁構造の一例を示す模式的断面図である。
【図２５】表面パネルの一例を示す模式的断面図である。
【発明を実施するための形態】
【００２８】
以下、図面を参照しつつ、本発明の実施の形態について説明する。以下の説明では、同一の部品には同一の符号を付す。また、同符号の場合には、それらの名称および機能も同一である。したがって、それらについての詳細な説明は繰り返さないものとする。
【００２９】
（壁構造）
図１は、本実施の形態にかかる壁構造を説明するために一部を切り欠いた模式的斜視図であり、図２から図４は、図１の壁構造の形成方法を説明するための模式的斜視図である。
【００３０】
図１に示すように、壁構造１００は、主に壁２００、フレーム３００および表面パネル５００からなる。
図２に示すように、壁２００を例にして説明する。本実施の形態にかかる壁２００は、新築の際の壁またはリフォーム前の壁からなる。次いで、図３に示すように、壁２００に対してフレーム３００が取り付けられる。
最後に、図４に示すように、フレーム３００に表面パネル５００が積層して取り付けられる。以下、各部材について説明を行う。
【００３１】
（フレーム３００）
図５は壁構造１００のフレーム３００の一例を示す模式図であり、図６は壁２００にフレーム３００が取り付けられた際の一例を示す模式的断面図である。
【００３２】
図５に示すように、フレーム３００は、矩形状の枠体３１０、凸部３２０および壁嵌合部３３０からなる。矩形状の枠体３１０は、鉛直方向に延在した長方形の平面枠部材からなる。特に、軽量化のために枠部材としているが、これに限定されず、平面板であってもよい。
【００３３】
また、当該平面枠部材の一面側に、複数の凸部３２０が所定の間隔で形成され、平面枠部材の他面側に、複数の壁嵌合部３３０が形成される。ここで、所定の間隔とは、距離ＰＴ１および距離ＰＴ２とを繰り返す間隔を意味する。
なお、枠体３１０の水平方向の幅および鉛直方向の長さ（高さ）は、壁２００等における規格寸法を整数で割ったサイズであることが好ましいが、特に限定されるものではない。
また、距離ＰＴ１および距離ＰＴ２とは、必ずしも相違するものではなく、同一距離で、表面パネル５００の穴５３０（図7参照）と嵌合するようにしてもよい。
また、フレーム３００の複数の凸部３２０は突出量を調整できてもよい。さらに凸部３２０の先端の一部には、突起３２１およびスリット３２２が形成されている。
【００３４】
図５に示すように、壁嵌合部３３０は、内部にスクリューネジＳＣを有しており、スクリューネジＳＣを挿入することにより、図６に示すように、壁嵌合部３３０の先端が広がり、壁２００の穴に喰い込ませて固定することができるものである。
また、壁嵌合部３３０が、フレーム３００の鉛直上部において鉛直下部よりも多く設けられてもよい。すなわち、フレーム３００の鉛直上部は、荷重が多くかかるため、壁２００に対して堅固に固定するためである。
【００３５】
なお、本実施の形態においては、壁嵌合部３３０を設けることとしているが、これに限定されず、矩形状の枠体３１０の一面側から他面側へ向かって壁２００に対して、ネジ、釘、ピン等、または他面側と壁２００とを接着するなど、他の任意の手法で固定できればよい。
したがって、壁嵌合部３３０は、ネジ、釘、ピン等を取り付けるための孔部であってもよい。
【００３６】
（表面パネル５００）
次に、図７は、本発明にかかる表面パネル５００の一例を示す模式的断面図である。
【００３７】
図７に示すように、表面パネル５００は、所定の間隔の穴５３０を有する表面部材５２０からなる。穴５３０の一部に切り欠き部５４０が形成される。
【００３８】
切り欠き部５４０は、穴５３０の内部に形成されている。穴５３０に凸部３２０が挿入され、切り欠き部５４０に突起３２１が嵌合する。その結果、表面パネル５００がフレーム３００を介して、壁２００に固定される。
なお、突起３２１の材料が硬素材からなり、表面パネル５００が軟素材からなる場合、容易に表面パネル５００を取り外すことができる。また、突起３２１は、凸部３２０の先端に部分的に形成されている。また、突起３２１が形成された凸部３２０の近くにスリット３２２を設けてもよい。その結果、スリット３２２の効果により突起３２１を容易に切り欠き部５４０から外すことができる。
また、突起３２１および切り欠き部５４０を設ける場合について説明したが、これに限定されず、突起３２１および切り欠き部５４０またはスリット３２２を設けず、その他の任意の着脱構造を設けてもよい。
なお、表面パネル５００は、フレーム３００の４個の凸部３２０により固定される場合について説明したが、これに限定されず、８個の凸部３２０により固定されてもよい。すなわち、表面パネル５００の２倍のサイズの表面パネルを一の表面パネルとしてもよい。当然ながら、鉛直方向および水平方向の少なくともいずれかの整数倍を一の表面パネルとしてもよい。
【００３９】
本実施の形態において、表面部材５２０の表面は、通常の壁紙を有したもの、または高級感のある化粧板を施したものである。または表面部材５２０自体が通常の壁紙、または高級感のある化粧板からなってもよい。
【００４０】
（壁構造を用いたその他の具体例）
図８は、壁構造１００の他の例を示す模式図である。
【００４１】
図８に示すように、壁構造１００ａの表面パネル５００ａは、色または素材の異なる表面パネル５２１，５２２が市松模様に配設されたものである。すなわち、このように、表面パネル５２１，５２２を自由に配設して、幾何模様を実現することができる。
【００４２】
また、図８に示す表面パネル５２１と表面パネル５２２との厚みを変更することで、壁全体に凹凸を持たせた意匠壁を形成できる。さらに、表面パネル５２１、５２２の厚みが同じでもフレーム３００の凸部３２０の突出量を調整できる機構を有してもよく、凸部３２０の突出量が、複数のパターンを有してもよい。
具体的に、突出量を調整できる機構とは、机の脚の高さ調整のように、凸部３２０が二重管からなり、外管と内管とに一定間隔で小孔が形成されており、内管と外管とをピンまたはネジ等で位置決めして調整できる機構であってもよく、または、釣竿または物干し竿のように、複数管で一定長さを伸ばして調整部を回して固定する機構であってもよい。
【００４３】
また、表面パネル５００ａは、簡単に外れず、しかし、必要に応じて外せることが望ましい。例えば、フレーム３００の凸部３２０の先端が丸み部を有しており、丸み部の最大径が表面パネル５００ａの穴径よりも大きく、丸み部が柔らかい部材で構成されている場合などである。
また、表面パネル５００ａの裏面およびフレーム３００の表面に凹凸部を設け、凸部の先端が丸みを帯びており、当該丸み径に応じた凹径で丸み部が柔らかい部材、例えば、シリコンまたはゴム等の機構からなってもよい。また、丸み部の最大径が表面パネル５００ａの穴径よりも大きく、丸み部が柔らかい部材からなり、表面パネル５００ａを押し込むものであってもよい。
【００４４】
図９は、壁構造１００の他の例を示す模式図である。
【００４５】
図９に示すように、壁構造１００ｂの表面パネル５００ｂは、表面パネル５００が、簡単に文字、図、絵等を書いたり消したりできる機能を有する表面パネル５２３を有する。
この場合、表面パネル５２３は、ホワイトボード、黒板等の機能を有するものである。なお、表面パネル５２３は、滑らかな、つやのある表面を有してもよい。
【００４６】
この場合、表面パネル５２３を筆記ボードとすることができる。特に、子供の落書き、大人の絵画練習等に利用することができる。
また、表面パネル５２３を筆記ボードではなく、表面を鏡としてもよい。その結果、鏡の無い部分に、鏡を設けることが容易にできる。また、鏡の位置を容易に変更することができる。
【００４７】
図１０、図１１、図１２、図１３は、壁構造１００のさらに他の例を示す模式図である。
【００４８】
図１０に示すように、壁構造１００ｃの表面パネル５００ｃは、表面パネル５００の一部に突出板を有する表面パネル５２５が組み合わせられて収容スペースが形成されている。
【００４９】
この場合、突出板を有する表面パネル５２５を自由に組み合わせることにより収容スペースを形成することができる。なお、図１０に示す以外の形状、ロ型、コ型、Ｌ型、平板等自由に形成することができる。
【００５０】
また、図１１の表面パネル５２５ａは、突出版の代わりに手摺り５３１を設けている。表面パネル５２５ａは、同じ距離Ｌ５２の位置（中央部）に設けられている。その結果、表面パネル５２５ａを上下方向に懸念することなく施工を行うことができる。
【００５１】
また、図１２および図１３の表面パネル５２５ｂは、手摺り５３２を設けている。表面パネル５２５ｂは、異なる距離Ｌ５３および距離Ｌ５４（Ｌ５４＞Ｌ５３）の位置に手摺り５３２が設けられる。その結果、図１２の場合と、図１３の場合とのように、手摺り５３２の位置を２種類、自由に選択し、変更することができる。具体的に、ユーザが表面パネル５２５ｂを上下逆にすることで、高さ調整を行うことができる。
【００５２】
続いて、図１４、図１５および図１６は、壁構造１００のさらに他の例を示す模式図である。
【００５３】
図１４に示すように、壁構造１００ｄの表面パネル５００ｄは、表面パネル５００の一部に、ＬＥＤ照明を有する表面パネル５２６、１１．２ｃｈまたは５、１ｃｈ等の機能のスピーカを有する表面パネル５２８、大型テレビを有する表面パネル５２９、およびコンセント５７１が埋め込まれた表面パネル５７０が形成されている。
【００５４】
この場合、壁に種々の電化製品を取り付けることができる。電化製品は、冷蔵庫、ボトルまたはビール等が収容される小型冷蔵庫、小型扇風機、ファン、エアコン、ワインセラー等自由に設けることができる。特に薄型のタイプが望ましい。
【００５５】
また、図１５に示すように、表面パネル５００ｄは、内部に空間５４５が形成されてもよい。その結果、配線を空間５４５に収容することができる。
【００５６】
さらに、図１６に示すように、表面パネル５００ｄは、内部に導通配線５４６が形成されてもよい。その結果、コンセント５７１、マルチタップ等を自由に配置させることができる。
【００５７】
また、同一の表面パネル５００ｄであっても、他の表面パネル５００ｄであってもよいが、集中スイッチ５７１ａが設けられてもよい。その結果、集中スイッチ５７１ａを自由に配置させることができる。
【００５８】
また、導通配線５４６は、隣接する表面パネル５００ｄの他の導通配線５４６と導通させることができるので、壁構造１００内に配線を内蔵させることができ、コンセント５７１または集中スイッチ５７１ａを設けた表面パネル５００ｄを用いることで、壁構造１００の自由度を高めることができる。
なお、集中スイッチ５７１ａおよびコンセント５７１が同一の表面パネル５００ｄに存在しなくてもよい。それぞれが、個々の表面パネル５００ｄに形成されていてもよい。
【００５９】
図１７は、壁構造１００のさらに他の例を示す模式図である。図１７の壁構造１００ｅは、新築の壁構造１００ｅではなく、リフォーム時に用いる壁構造１００ｅである。
【００６０】
図１７に示すように、壁構造１００ｅの表面パネル５００ｅは、既設の電化製品５７２の周囲に表面パネル５００ｅを形成したものである。すなわち、既設の電化製品５７２の周囲のみリフォームすることができる。
【００６１】
図１７に示すように、既設の電化製品５７２または既設の大型家具等の周囲に表面パネル５００ｅを形成することができるので、家具等を動かすことなくリフォームを行うことができる。また、既設の窓、換気扇、エアコン等に対しても同様に表面パネル５００ｅを形成することができる。
すなわち、既設の電化製品５７２または既設の大型家具等、既設の窓、換気扇、エアコン等の周囲のみリフォームすることができる。
【００６２】
（他の壁構造）
図１８は、フレーム３００の他の例を示す模式的斜視図であり、図１９はフレーム３００を用いた壁構造１００ｆの一例を示す模式的断面図である。図１９は、図１８のフレームに表面パネル５００ｆを取り付けた場合のＡ−Ａ平面における断面を示す。
【００６３】
図１８に示すように、フレーム３００ｆは、コ字状部を含む部材からなる。また、コ字状部には、孔３２０ｆが形成されている。
また、図１９に示すように、壁構造１００ｆは、フレーム３００ｆの孔３２０ｆに表面パネル５００ｆの係止部５６１が係止される。
【００６４】
また、表面パネル５００ｆは、フレーム３００ｆに対して、強力な両面テープにより取り付けられてもよい。なお、両面テープに限定されず、マジックテープ（登録商標）等を利用してもよい。
【００６５】
また、表面パネル５００ｆは、鉛直上部端面に凹部５６０が形成され、鉛直下部端面に凸部５５０が形成され、鉛直方向に隣接する表面パネル５００ｆ同士が嵌合される。
なお、鉛直上部端面に凹部５６０が形成され、鉛直下部端面に凸部５５０が形成され、鉛直方向に隣接する表面パネル５００ｆ同士が嵌合される場合について説明をしているが、これに限定されず、凹部５６０および凸部５５０が形成されていない表面パネルを用いてもよい。
【００６６】
次に、図２０は、壁構造１００ｇの一例を示す模式的断面図である。
図２０に示す壁構造１００ｇが図１９に示した壁構造１００ｆと異なる点は、以下の点である。
【００６７】
図２０に示すように、フレーム３００ｇは、表面パネル５００ｇの大きさよりも一回り小さい部分３８０が形成されている。表面パネル５００ｇは、フレーム３００ｇに表面パネル５００ｇの係止部５６１により係止されるとともに、部分３８０の上面３８１に表面パネル５００ｇの面５８１が引っ掛けられ、部分３８０の凹部３８２に表面パネル５００ｇの凸部５８２が嵌合され、固定される。
すなわち、表面パネル５００ｇは、フレーム３００の部分３８０を包み込むように嵌合される。
【００６８】
続いて、図２１および図２２は、壁構造１００ｈ，１００ｊの一例を示す模式的断面図である。
図２１に示す壁構造１００ｈは、フレーム３００ｈがネジＢＴにより壁２００に固定される。また、フレーム３００ｈの凸部３２０ｈは、少なくとも先端が磁性体または金属からなる。表面パネル５００ｈの穴には、磁石５８０ｈが内蔵される。
その結果、表面パネル５００ｈの磁石５８０ｈと凸部３２０ｈとの間に磁力が働く。その結果、表面パネル５００ｈがフレーム３００ｈに磁力で固定される。
【００６９】
また、図２２に示すフレーム３００ｊの部分３２０ｊは、先端に磁性体または金属体が設けられる。また、表面パネル５００ｊには、内部側に磁石５８０ｊが内蔵される。
その結果、表面パネル５００ｊの磁石５８０ｊと部分３２０ｊとの間に磁力が働く。その結果、表面パネル５００ｊがフレーム３００ｊに固定される。この場合、磁石５８０ｊが表面パネル５００ｊの厚み方向の中央部に設けられるため、表面パネル５００ｊの表裏面のいずれも使用することができる。いわゆる表面パネル５００ｊのリバーシブルを実現することができる。
【００７０】
次いで、図２３は、壁構造１００ｋの一例を示す模式的断面図である。
まず、図２３に示すように、壁構造１００ｋは、フレーム３００ｋがネジＢＴにより壁２００に固定される。フレーム３００ｋの凸部３２０ｋは、水平方向から角度θ鉛直上方向に傾斜して設けられる。
フレーム３００ｋの凸部３２０ｋに、表面パネル５００ｋの穴５５５ｋが嵌合される。その結果、表面パネル５００ｋの自重により、表面パネル５００ｋが抜け難くなる。
【００７１】
続いて、図２４は、壁構造１００ｍの一例を示す模式的断面図である。
まず、図２４に示すように、壁構造１００ｍは、フレーム３００ｍが、ネジＢＴｍにより壁２００に固定される。そして、ネジＢＴｍの一部がフレーム３００ｍから突出する。ネジＢＴｍの突出部に、表面パネル５００ｍの穴５５５ｍを嵌合する。
その結果、フレーム３００ｍと表面パネル５００ｍとを一度に固定することができる。
さらに、ネジＢＴｍを、壁２００から表面パネル５００ｍまでの距離調整としても利用することができる。
【００７２】
最後に、図２５は、表面パネルの一例を示す模式的断面図である。
図２５に示すように、表面パネル５００ｎは、スライド穴５９０が上下に形成される。そこに、矢印ＳＴの方向に、突出板５２５ｎをスライドして挿入することで、図１０に示した表面パネル５２５を形成することができる。
【００７３】
なお、上記で説明した表面パネル５００以外にも、表面パネルは、色、色彩、模様、絵画等のバリエーションであってもよく、さらに保護フィルムが最外層に形成されていてもよい。また、調湿、ニオイ吸着、ＶＯＣ吸着等を行う素材であってもよい。
さらに、表面パネル５００は、デッキのようなインテリア重視のデザインを有してもよく、また、パズル、キャラクター、移動車両、鉄道、等の絵であってもよく、趣味でデザインできるキャンバス等であってもよい。
【００７４】
なお、表面パネル５００をフレーム３００に取り付ける手法は、磁石、両面テープ、接着剤等で取り付けてもよい。
また、フレーム３００と表面パネル５００とが互いに凹凸部または係止部で嵌合される構造であってもよい。
【００７５】
以上のように、本実施の形態にかかる壁構造１００、１００ａ、１００ｂ、１００ｃ、１００ｄ、１００ｅ、１００ｆ、１００ｇ、１００ｈ、１００ｋ、１００ｍは、壁２００にフレーム３００，３００ｆ，３００ｇ，３００ｈ，３００ｊ，３００ｋ，３００ｍが取付けられ、フレーム３００，３００ｆ，３００ｇ，３００ｈ，３００ｊ，３００ｋ，３００ｍに表面パネル５００，５００ａ，〜，５００ｈ，５００ｊ，５００ｋ，５００ｍ，５００ｎ，５２１，５２２，５２３，５２５，５２５ａ，５２５ｂ，５２６，５２８，５２９，５７０を取り付けることができる。また、表面パネル５００，５００ａ，〜，５００ｈ，５００ｊ，５００ｋ，５００ｍ，５００ｎ，５２１，５２２，５２３，５２５，５２５ａ，５２５ｂ，５２６，５２８，５２９，５７０は、表面パネル５２１，５２２、手摺り５３１，５３２、表面パネル５２３のホワイトボード、黒板等の機能、表面パネル５２５の突出板５２５ｎ、表面パネル５２６の照明機能、表面パネル５２８のスピーカ、音響機能、表面パネル５２９の液晶テレビ、映像表示機能、および表面パネル５２０の穴５９０のいずれかを含むため、機能を備えた壁２００を容易に形成することができる。その結果、容易に機能を含めた壁２００を形成することができる
【００７６】
また、フレーム３００，３００ｆ，３００ｇ，３００ｈ，３００ｊ，３００ｋ，３００ｍが、壁２００に喰い込む構造、および、鉛直方向に延在している構造の少なくともいずれかであるため、脆弱な壁２００であっても、確実に固定することができる。
【００７７】
また、フレーム３００，３００ｆ，３００ｇ，３００ｈ，３００ｊ，３００ｋ，３００ｍは、壁２００と表面パネル５００，５００ａ，〜，５００ｎ，５２１，５２２，５２３，５２５，５２５ａ，５２５ｂ，５２６，５２８，５２９，５７０との距離を調整するネジＢＴｍを含むため、表面パネル５００，５００ａ，〜，５００ｈ，５００ｊ，５００ｋ，５００ｍ，５００ｎ，５２１，５２２，５２３，５２５，５２５ａ，５２５ｂ，５２６，５２８，５２９，５７０を凹凸状に配設することができる。
【００７８】
また、本実施の形態においては、穴は、貫通していない穴を意味し、孔は、貫通している孔を意味する。
【００７９】
本発明においては、壁嵌合部３３０が『壁固定部』に相当し、凸部３２０、部分３８０が『パネル保持部』に相当し、フレーム３００，３００ｆ，３００ｇ，３００ｈ，３００ｋ，３００ｊ，３００ｍが『パネル取付部』に相当し、壁２００が『壁』に相当し、表面パネル５００，５００ａ，〜，５００ｈ，５００ｊ，５００ｋ，５００ｍ，５００ｎ，５２１，５２２，５２３，５２５，５２５ａ，５２５ｂ，５２６，５２８，５２９，５７０が『１または複数の表面パネル』に相当し、壁構造１００、１００ａ、１００ｂ、１００ｃ、１００ｄ、１００ｅ、１００ｆ、１００ｇ、１００ｈ、１００ｋ、１００ｍが『壁構造』に相当し、ネジＢＴｍが『調整機構』に相当し、導通配線５４６が『配線アダプタ』に相当し、空間５４５が『配線収納用の空間部』に相当し、表面パネル５２１，５２２の色、手摺り５３１，５３２、表面パネル５２３のホワイトボード、黒板等の機能、表面パネル５２５の突出板５２５、表面パネル５２６の照明機能、表面パネル５２８のスピーカ、音響機能、表面パネル５２９の液晶テレビ、映像表示機能が、『機能部材』に相当し、表面パネル５２５ｎの穴５９０が『機能部材取付け部』に相当し、図１１の表面パネル５２５ａが『相対的に同じ位置に配設』に相当し、図１２，１３の表面パネル５２５ｂが『相対的に異なる位置に配設』に相当し、図２から図３の工程が、『第１工程』に相当し、図３から図４の工程が『第２工程』に相当し、図２５の工程が『第３工程』に相当し、図２から図５および図２５の工程が『壁構造の形成方法』に相当する。
【００８０】
また、本発明の好ましい一実施の形態は上記の通りであるが、本発明はそれだけに制限されない。本発明の精神と範囲から逸脱することのない様々な実施形態が他になされることは理解されよう。さらに、本実施形態において、本発明の構成による作用および効果を述べているが、これら作用および効果は、一例であり、本発明を限定するものではない。
【符号の説明】
【００８１】
１００、１００ａ，〜，１００ｆ、１００ｇ、１００ｈ、１００ｋ、１００ｍ  壁構造
２００  壁
３００，３００ｆ，３００ｇ，３００ｈ，３００ｊ，３００ｋ，３００ｍ  フレーム
３２０  凸部
３３０  壁嵌合部
３８０  部分
５００，５００ａ，〜，５００ｈ，５００ｊ，５００ｋ，５００ｍ，５００ｎ，５２１，５２２，５２３，５２５  表面パネル
５２５ａ，５２５ｂ，５２６，５２８，５２９，５７０  表面パネル
５２５ｎ  突出板
５３１，５３２手摺り
５４５  空間
５４６  導通配線
５９０  穴
ＢＴｍ  ネジ
【図１】
2015175106.tif 000003
【図２】
2015175106.tif 000004
【図３】
2015175106.tif 000005
【図４】
2015175106.tif 000006
【図５】
2015175106.tif 000007
【図６】
2015175106.tif 000008
【図７】
2015175106.tif 000009
【図８】
2015175106.tif 000010
【図９】
2015175106.tif 000011
【図１０】
2015175106.tif 000012
【図１１】
2015175106.tif 000013
【図１２】
2015175106.tif 000014
【図１３】
2015175106.tif 000015
【図１４】
2015175106.tif 000016
【図１５】
2015175106.tif 000017
【図１６】
2015175106.tif 000018
【図１７】
2015175106.tif 000019
【図１８】
2015175106.tif 000020
【図１９】
2015175106.tif 000021
【図２０】
2015175106.tif 000022
【図２１】
2015175106.tif 000023
【図２２】
2015175106.tif 000024
【図２３】
2015175106.tif 000025
【図２４】
2015175106.tif 000026
【図２５】
2015175106.tif 000027